(57)【要約】【課題】伸縮可能な竿掛けアームを備えた物干し竿掛けを提供する。【解決手段】竿掛け固定金具４，該竿掛け固定金具４に対して回転用軸ピン１０で回動可能に取り付けられるアーム支持基体５を備え、該アーム支持基体５に挿着孔１６を穿設し、該挿着孔１６に竿掛けアーム６の端部を挿入し、該分部で前記竿掛けアーム６を伸着操作する。【選択図】    図３
2004329581.tif 000002
【特許請求の範囲】
【請求項１】
バルコニー手摺を構成するコンクリート立ち上がり壁に直接固定して設けられるか、又は該立ち上がり壁に固定して設けられる支持用支柱を介して設置される竿掛けアーム取付金具を設け、
該竿掛けアーム取付金具に対して回転用軸ピンで回動可能に取り付けられるアーム支持基体を備え、
該アーム支持基体は前記竿掛けアーム取付具に対して或る設定角度で回動を固定して物干し竿を装架して干し物を干す事や物干し掛けアームを回動により上向き立ち上げたり下向きに下げ降ろすことで収納可能となし、
前記アーム支持基体に適宜形状にて形成される竿受け部を構成する竿掛けアームを挿着可能な挿着孔を設け、
該挿着孔に前記竿掛けアームの一端又は両端を挿入して摺動したり固定可能となし、
該竿掛けアームの長さを前記アーム支持基体より任意に伸縮操作できることを特徴とする伸縮可能な竿掛けアームを備えた物干し竿掛け。
【請求項２】
バルコニー手摺を構成するコンクリート立ち上がり壁に直接固定して設けられるか、又は該立ち上がり壁に固定して設けられる支持用支柱を介して設置される竿掛けアーム取付金具を設け、
該竿掛けアーム取付金具に対して回転用軸ピンで回動可能に取り付けられるアーム支持基体を備え、
該アーム支持基体は前記竿掛けアーム取付具に対して或る設定角度で回動を固定して物干し竿を装架して干し物を干す事や物干し掛けアームを回動により上向き立ち上げたり下向きに下げ降ろすことで収納可能となし、
前記アーム支持基体に適宜形状にて形成される竿受けピース保持体を構成する竿掛けアームを挿着可能な挿着孔を設け、
該挿着孔に前記竿掛けアームの一端又は両端を挿入して摺動したり固定可能となし、
前記竿掛けアームに着脱自在な竿受けピースを複数個装着して竿受け部を形成するとともに、
該竿受けピースの個数を選択したり竿受けピース間の間隔を調整し前記竿掛けアームの長さを前記アーム支持基体より任意に伸縮操作できることを特徴とする伸縮可能な竿掛けアームを備えた物干し竿掛け。
【請求項３】
前記竿掛けアームに着脱自在で該竿掛けアームに挿着され摺動可能な竿受けピースをアルミ押出型材にて長尺材として製作し、該長尺材を必要幅に切断し中央に竿受け孔を穿設してなる請求項１及び請求項２記載の伸縮可能な竿掛けアームを備えた物干し竿掛けに於ける竿受けピース。
【請求項４】
前記パイプや棒状体から形成される竿掛けアーム自体に竿受け部を形成したことを特徴とする請求項１記載の伸縮可能な竿掛けアームを備えた物干し竿掛け。
【請求項５】
前記アーム支持基体に設けられる挿着孔に挿入して摺動したり固定される竿掛けアームの形状を角棒形状となし、該竿掛けアームの一端又は両端にはラックを刻設し、該ラック部分がアーム支持基体に設けられたクリップの爪部の噛み合いにて前記竿掛けアームの伸縮を固定することを特徴とする請求項１及び請求項２記載の伸縮可能な竿掛けアームを備えた物干し竿掛け。
【請求項６】
前記アーム支持基体に設けられる挿着孔に挿入して摺動する竿掛けアームの断面形状はＨ型形状となし、該Ｈ型形状の竿掛けアームが挿着されるアーム支持基体は縦方向に二分割して予め設けられた挿着孔に嵌合挿入する形にて組立され、該挿着孔出口部にストッパー用突部を設けることにより前記挿着した竿掛けアームが該長さ調整時にアーム支持基体より離脱しないようにしたことを特徴とする請求項１及び請求項２記載の伸縮可能な竿掛けアームを備えた物干し竿掛け。
【請求項７】
前記アーム支持基体に設けられる挿着孔に挿入して摺動する竿掛けアームは二本の棒状体に分割されて前記挿着孔に挿着され、該二本の分割竿掛けアームに複数個の竿受けピースを端部より嵌着せしめたのち、該二本の分割された竿掛けアームの端部をキャップにて塞ぎ連繋することを特徴とする請求項１及び請求項２記載の伸縮可能な竿掛けアームを備えた物干し竿掛け。
【発明の詳細な説明】
【０００１】
【発明の属する技術分野】
本発明はバルコニー手摺側壁やベランダ壁等に設けられる物干し竿掛けに関するものであり、特に本発明は物干し竿掛けのアーム長さを必要に応じ可変出来る物干し竿掛けに関するものである。
【０００２】
【従来の技術】
【０００３】
【発明が解決しようとする課題】
従って、従来のマンション等における物干し竿掛けは、バルコニーやベラン従来、マンション等のバルコニーやベランダに取り付けられる物干し竿掛けのアームはアルミダイキャスト製で一定長さに製作されている。
ダの出幅を考慮して、施工時にそのアーム長さが一定の物干し竿掛けが取り付けられているが、入居者のニーズに必ずしも合っている訳ではなく竿掛けのアーム長さが邪魔扱いされたり、逆に竿掛けのアーム長さの足りなさがが、クレームとして問題視されたりしている。
【０００４】
物干し竿掛けの製造メーカーとしては、上記種々ニーズに対応出来るように、例えば、物干し竿掛けのアーム長さを７００ｍｍ、６５０ｍｍ、５５０ｍｍ、４５０ｍｍと小刻みに設定して規格品を製作しており、ベランダやバルコニーの出幅に対応して上記物干し掛けアームの長さを選択し対応しているのが、現況である。
【０００５】
物干し竿掛けの製造メーカーとしては、上記物干し竿掛けのアーム部分及び、アーム取付金物は、アーム長さのタイプ別により、それぞれ在庫を持つことになる。
【０００６】
また、従来の物干し竿掛けの構成部品は、主にアームとアーム取付金物からなり、該アームとアーム取付金物はアルミダイキャストにより製作されていることからアーム長さのタイプ別にアルミダイキャスト用金型を製作して製造しており、コストダウンを図ることが難しかった。
【０００７】
本発明は、竿掛けのアーム長さを可変出来る物干し竿掛けを提供することにより、施工者が取り付けた物干し竿掛けの竿掛けアーム長さを入居者が使用状況に応じて長さ調整を行い利用出来るもので、居住者の使用時の於けるニーズを満足させることが出来る物干し竿掛けを提供することを目的としている。
【０００８】
また、製造メーカー側にとっては、竿掛けアーム長さのタイプ別によりアルミダイキャスト用金型を製作して規格品を品揃えして在庫を持つのではなく、単一製品にて、居住者のニーズに応える事が可能になり、コストダウンを図れる物干し竿掛けを提供することを目的としている。
【０００９】
【課題を解決するための手段】
上記目的を達成するために、本発明はバルコニー手摺を構成するコンクリート立ち上がり壁に直接固定して設けられるか、又は該立ち上がり壁に固定して設けられる支持用支柱を介して設置される竿掛けアーム取付金具を設け、該竿掛けアーム取付金具に対して回転用軸ピンで回動可能に取り付けられるアーム支持基体を備え、該アーム支持基体は前記竿掛けアーム取付具に対して或る設定角度で回動を固定して物干し竿を装架して干し物を干す事や物干し掛けアームを回動により上向き立ち上げたり下向きに下げ降ろすことで収納可能とした。
【００１０】
而して、前記アーム支持基体にパイプや棒状形状体等適宜形状から形成される竿受け部を構成する竿掛けアームを挿着可能な挿着孔を設け、該挿着孔に前記竿掛けアームの一端又は両端を挿入して摺動したり固定可能となし、該竿掛けアームの長さを前記アーム支持基体より任意に伸縮操作できるよう構成した伸縮可能な竿掛けアームを備えた物干し竿掛けを提供した。
【００１１】
また、本発明は、上記竿掛けアームに着脱自在な竿受けピースを複数個装着して竿受け部を形成するとともに、該竿受けピースの個数を選択したり竿受けピース間の間隔を調整し前記竿掛けアームの長さを前記アーム支持基体より任意に伸縮操作できるよう構成したことを特徴とする伸縮可能な竿掛けアームを備えた物干し竿掛けを提供した。
【００１２】
【発明の実施の形態】
【実施例１】
本発明の実施例１を図１乃至図６に基づき説明する。
図１は本発明の物干し竿掛けを設置した状態を示す部分断面の側面図であり、物干し竿掛けは、同様の物干し竿掛けを或る間隔をおいて設置して、該竿掛け間に物干し竿を装架して使用する。
【００１３】
図２は図１の干し物を干している状態から、物干しアームを上向きに立ち上げて収納状態に操作した状態を示す側面図図である。
【００１４】
図３は図１及び図２に示した本発明の竿掛け固定具とアーム支持体及び竿掛けアームの関係を説明する要部組立説明図、図４及び図５は竿受けピースの形状例を示す斜視図である。
【００１５】
図１乃至図６に於いて、１はバルコニー手摺を構成するコンクリート立ち上がり壁、２は支柱固定金具、３は支柱固定金具２に支承され上下に摺動可能な支柱、４は支柱３の上部に冠着された竿掛け固定金具、５は固定金具４に回動可能に設けられたアーム支持基体、６はアーム支持基体５に挿着され摺動し該アーム支持基体５に対して伸縮可能な竿掛けアーム、７は該竿掛けアーム７に着脱可能に設けられる複数個の竿受けピースである。
【００１６】
図１乃至図３に於いて支柱固定具２には支柱３を挟持して上下に摺動させて任意位置にて高さ調整を行える挟持部８と、該上下の高さ調整を固定するための固定レバー９が設けられている。
【００１７】
また、前記竿掛け固定金具４はアルミダイキャスト等にて製作され、該竿掛け固定金具４には、アーム支持基体５を回動させるための回転用軸ピン１０、及びアーム支持基体５の回動を固定し竿掛けアーム６を干し物乾燥位置に固定するための固定ピン１１が植設されている。
【００１８】
前記アーム支持基体５も同様にアルミダイキャスト等にて製作され、該アーム支持基体５には摺動溝１２が穿設されており、該摺動溝１２は前記回転用軸ピン１０に軸着されて竿掛け固定具４に連繋している。
【００１９】
１３はアーム支持基体５の端部に形成された係止部であり、該係止部１３は前記竿掛け固定具４に植設された固定ピン１１にしっかりと係合しアーム支持基体５の回動を固定するためのものであり、該係止部１３が固定ピン１１に係合することにより、竿掛けアーム６は図１の如く固定され干し物を乾燥させる状態になる。
【００２０】
図２は上記干し物乾燥状態から竿掛けアーム６を上向きに立ち上げて前記竿掛けアーム６に設けた係止ダボ１４を竿掛け固定具４上部にも設けた嵌合溝１５に嵌着させ、該竿掛けアーム６を上向き状態で固定した収納状態を示している。
【００２１】
斯くして、本発明は図３に示す如く、前記アーム支持基体５の他端から内部方向に向かって、パイプや棒状形状体から構成される竿掛けアーム６を挿着可能な挿着孔１６を設け、該挿着孔１６に前記竿掛けアーム６の両端を挿入して摺動したり可能に構成して、該竿掛けアーム６の長さをアーム支持基体５より任意に可変する伸縮操作ができる。
【００２２】
また、摺動可能に装着された竿掛けアーム６は摘子１７，１８の螺合により挿着孔内で締結されて任意位置で固着することができ、長さを調整した竿掛けアーム６を居住者が簡単に得られる。
【００２３】
而して、前記竿掛けアーム６には貫通孔１９、２０を有した複数個の竿受けピース７が摺動自在に挿嵌されており、該竿受けピース７はそれぞれ竿受け孔２１を有した形状で、該竿受けピース７の個数を任意に決めて前記竿掛けアーム６の長さを設定できたり、それぞれの竿受け孔２１間ピッチを該竿受けピース７を摺動することで得られる。
【００２４】
尚、それぞれの竿受けピース７を例えば図１に示す如く等間隔、或いは適宜な間隔に固定する機構はスプリングを介在させたロックピン等を用いる事により容易に行える。
【００２５】
図４及び図５は上述の竿受けピース７の形状例を示すもので、該竿受けピース７は、それぞれ上下に設けた保持用の貫通孔１９、２０を有しており中心部に竿受け孔２１が穿たれている。竿受けピース７はその断面形状がアルミ押出型材にて製作しやすい形状に工夫されており、同一断面形状を持つ長尺物のアルミ押出型材として製作して一定幅に切断し、中央に竿受け孔２１を穿つ単純な製作工程にて製造でき製作コストの引き下げに役立った。
【００２６】
図６は上述の竿受けピース７を図１の４枚に比較して３枚に減らし竿受けアーム６を前記アーム支持基体５に穿設された挿着孔１６に挿着して押し込み、竿受けアーム６の外部露出部分を少なくすることで、該竿受けアーム６の長さを短くした例を示している。
【００２７】
【実施例２】
図７は本発明の実施例２を示す側面図であり、一部要部を断面形状にて示している。図７に於いて前記図１と同一符号は同一構成要素を示しており、図７に示す１はバルコニー手摺を構成するコンクリート立ち上がり壁、２は支柱固定金具、３は支柱固定金具２に支承され上下に摺動可能な支柱、４は支柱３の上部に冠着された竿掛け固定金具、５は固定金具４に回動可能に設けられたアーム支持基体、６はアーム支持基体５に挿着され摺動し該アーム支持基体５に対して伸縮可能な竿掛けアームである。
【００２８】
実施例２の竿掛けアーム６は、パイプや棒状形状体を成形して物干し竿の受け部２２を複数個形成している点で実施例１と大きく異なるが、竿掛けアーム６の両端をアーム支持基体５に穿設された挿着孔１６に挿着し、該部分にて竿掛けアーム６を伸縮させて竿掛けアームの長さを調整可能にしている。
【００２９】
而して、実施例２は、実施例１に比較して竿受けピース等の部品を減らすことが可能で、より製作コストの削減が可能となった。
【００３０】
【実施例３】
図８は本発明の実施例３を示す斜視説明図である。図８に於いて前記図３と同一符号は同一構成要素を示している。
図８に於いて３は支柱、４は竿掛け固定金具、５はアーム支持基体、６は竿掛けアーム、７は竿受けピース、１０は回転用軸ピン、１１は固定ピン、１２は摺動溝、１６は挿着孔をそれぞれ示している。
【００３１】
実施例３は前記挿着孔１６に挿着される竿掛けアーム６の形状が角棒形状に成っており、該角棒形状の竿掛けアーム６の両端部でアーム支持基体５に穿設された挿着孔１６に挿着され摺動する部分にはそれぞれラック２３、２４が刻設されている。
【００３２】
２５、２６は前記ラック２３、２４に先端部の爪が噛み合い竿掛けアーム６の調整された長さを固定するためのクリップであり、該クリップ２５、２６は前記アーム支持基体５に設置されている。
【００３３】
而して、実施例３に於いては、クリップ２５、２６を操作することにより、竿掛けアーム６の長さを可変出来、また調整した長さにて固定することが簡単に行える。
【００３４】
【実施例４】
図９及び図１０は、本発明の実施例４を示す説明図であり、該説明図はアーム支持基体５と竿掛けアーム６の端部を拡大した図９の斜視説明図と、前記アーム支持基体５と竿掛けアーム６の挿着状態を断面図にて示した図１０からなる。
【００３５】
図９及び図１０において、上述したように５はアーム支持基体、６は竿掛けアームであり、前記アーム支持基体５には回転用軸ピン１０（図示せず）に軸着されアーム支持基体５を回動可能に竿掛け固定具４（図示せず）に連繋している摺動溝１２と、竿掛けアーム６両端を挿着し摺動可能な挿着孔１６が穿設されている。
【００３６】
実施例４の他と異なる点は、前記竿掛けアーム６が図９に示す二分割ライン２７から二分割出来ることと、該竿掛けアーム６にに穿設された挿着孔１６の内径形状が異なり、該挿着孔１６に挿着されるＨ型形状の竿掛けアーム６に合わせて内部側では角棒形状溝２８（図１０にて示す）を構成し、出口部でストッパー用突部２９を形成して、該断面形状が装着されるＨ型形状の竿掛けアーム６の嵌合形になっている。
【００３７】
斯くして、本発明の実施例４は、竿掛けアーム６の断面形状をＨ型形状にして、該竿掛けアーム６が挿着されるアーム支持基体５に穿設される挿着孔１６の形状も前記竿掛けアーム６のＨ型形状に嵌合して摺動する形状とすることで、竿掛けアーム６のガタツキを極端に減らし円滑な竿掛けアーム６の長さ調整ができるようになった。
【００３８】
また、アーム支持基体５を二分割してＨ形状の竿掛けアーム６を挿着孔１６に嵌着し、該挿着孔１６の出口部にストッパー用突部２９を設けることにより、前記竿掛けアーム６の長さ調整時に該竿掛けアーム６が抜けてアーム支持基体５から離脱することのない伸縮可能なアームを備えた物干し竿掛けが提供できた。
【００３９】
【実施例５】
図１１は本発明の実施例５を説明する斜視組み立て図であり、図３と同一符号は同一構成要素を示している。
図１１に於いては、竿掛けアーム６が棒状部３０とキャップ３１に分割されており、前記竿掛けアーム６をアーム支持基体５の挿着孔１６に挿着するときは、単なるパイプ形状物を挿着する作業になるので、組み立てやすい。
【００４０】
また図１１に示す如く竿受けピース７を二本のパイプ形状物に嵌着させる作業は容易に行えるために、竿受けピース７の数量を増減して、前記竿受けアーム６の長さを設定する事は簡単に行える。
【００４１】
而して、実施例５に於いては、前記竿受けピース７の数量を調整した後に、前記キャップ３１にて両端部を連繋して塞ぎ、竿掛けアーム６の組立を完了させる。
【００４２】
前記組立完了した竿掛けアーム６は、アーム支持基体５の挿着孔１６に他端を挿入されており、当然のことながら、アーム支持基体５に対して摺動して伸縮可能であり、該伸縮に依っても竿掛けアーム６の長さ調整はおこなわれ、任意位置で摘子１７、１８を締結することで、竿掛けアーム６の固定もおこなえる。
【００４３】
斯くして、本実施例５は、組立及び竿受けピース７の増減による長さ調整が容易に行える伸縮可能な竿掛けアームを備えた物干し竿掛けを提供することができた。
【００４４】
本発明は他に図１２に示す如く、竿掛け固定金具４の形状を変える事によりコンクリート立ち上がり壁１等にも直接取り付ける事が可能である。
【００４５】
また、図１３及び図１４に示す例は前記、図１とは異なる形状の支柱支持上下上げ下げ型の物干し竿掛けにあっても、上下動する支柱３の上端部に本発明の物干し竿掛け４，アーム支持基体５及び竿掛けアーム６を冠着させることで同様の構成を簡単に実施できる。
【００４６】
尚、図１４は特に上記構成により得られた物干し竿掛けが下向きに下げ降ろされて収納状態に成る場合に、該下げ降ろされた竿掛けアーム６の下端が低く成りすぎ、竿受けピース７に穿たれた竿受け孔２１が足掛かりとなって危険な時、本発明に於いては、竿掛けアーム６を収縮させて長さを短くすることで対応できる。
【００４７】
而して本発明は、バルコニー手摺を構成するコンクリート立ち上がり壁１に直接固定して設けられるか、又は該立ち上がり壁に固定して設けられる支持用支柱３を介して設置される竿掛け固定金具４を設け、該竿掛け固定金具４に対して回転用軸ピン１０で回動可能に取り付けられるアーム支持基体５を備え、該アーム支持基体５は前記竿掛け固定金具４に対して或る設定角度で回動を固定して物干し竿を装架して干し物を干す事や竿掛けアーム６を回動により上向き立ち上げたり下向きに下げ降ろすことで収納可能となし、前記アーム支持基体５にパイプや棒状形状体から形成される竿受け部２２を構成する竿掛けアームを挿着可能な挿着孔１６を設け、該挿着孔１６に前記竿掛けアーム６の一端又は両端を挿入して摺動したり固定可能となし、該竿掛けアーム６の長さを前記アーム支持基体５より任意に伸縮操作できる物干し竿掛けを提供することが出来た。
【００４８】
また、本発明は、バルコニー手摺を構成するコンクリート立ち上がり壁１に直接固定して設けられるか、又は該立ち上がり壁に固定して設けられる支持用支柱３を介して設置される竿掛け固定金具４を設け、
該竿掛け固定金具４に対して回転用軸ピン１０で回動可能に取り付けられるアーム支持基体５を備え、該アーム支持基体５は前記竿掛け固定金具４に対して或る設定角度で回動を固定して物干し竿を装架して干し物を干す事や竿掛けアーム６を回動により上向き立ち上げたり下向きに下げ降ろすことで収納可能となし、
前記アーム支持基体５にパイプや棒状形状体から形成される竿受けピース７保持体を構成する竿掛けアーム６を挿着可能な挿着孔１６を設け、該挿着孔１６に前記竿掛けアーム６の一端又は両端を挿入して摺動したり固定可能となし、前記竿掛けアーム６に着脱自在な竿受けピース７を複数個装着して竿受け部２２を形成するとともに、該竿受けピース７の個数を選択したり竿受けピース７間の間隔を調整し前記竿掛けアーム６の長さを前記アーム支持基体５より任意に伸縮操作できる物干し竿掛けを提供することが出来た。
【００４９】
更に、本発明は、実施例として下記の構成を提供することができた。
即ち、竿掛けアーム６に着脱自在で該竿掛けアーム６に挿着され摺動可能な竿受けピース７をアルミ押出型材にて長尺材として製作し、該長尺材を必要幅に切断し中央に竿受け孔２１を穿設して形成した物干し竿掛けに於ける竿受けピースを提供可能とした。
【００５０】
前記パイプや棒状体から形成される竿掛けアーム６自体に竿受け部２２を形成し伸縮可能な物干し竿掛けを提供した。
【００５１】
前記アーム支持基体５に設けられる挿着孔１６に挿入して摺動したり固定される竿掛けアーム６の形状は角棒形状となし、該竿掛けアーム６の一端又は両端にはラック２３、２４を刻設し、該ラック２３、２４部分がアーム支持基体５に設けられたクリップ２５、２６の爪部の噛み合いにて前記竿掛けアーム６の伸縮を固定する伸縮可能な竿掛けアーム８を備えた物干し竿掛けを提供した。
【００５２】
前記アーム支持基体５に設けられる挿着孔１６に挿入して摺動する竿掛けアーム６の断面形状はＨ型形状となし、該Ｈ型形状の竿掛けアーム６が挿着されるアーム支持基体５は縦方向に二分割して予め設けられた挿着孔１６に嵌合挿入する形にて組立され、該挿着孔１６出口部にストッパー用突部２９を設けることにより前記挿着した竿掛けアーム６が該長さ調整時にアーム支持基体５より離脱しないようにした伸縮可能な竿掛けアームを備えた物干し竿掛けを提供した。
【００５３】
前記アーム支持基体５に設けられる挿着孔１６に挿入して摺動する竿掛けアーム６は二本の棒状体に分割されて前記挿着孔１６に挿着され、該二本の分割竿掛けアーム１６に複数個の竿受けピース７を端部より嵌着せしめたのち、該二本の分割された竿掛けアーム６の端部をキャップ３１にて塞ぎ連繋して伸縮可能な竿掛けアームを備えた物干し竿掛けを提供した。
【００５４】
【発明の効果】
而して本発明は、従来の物干し竿掛けのアームがアルミダイキャスト製で一定長さに製作されていたものを、アームの伸縮による長さ可変可能に構成し、居住者のニーズによって竿掛けアーム長さを居住者が任意に調整出来るようにした。
【００５５】
また、従来、物干し竿掛けの製造メーカーは、種々ニーズに対応出来るように、物干し竿掛けのアーム長さを７００ｍｍ、６５０ｍｍ、５５０ｍｍ、４５０ｍｍと小刻みに設定して規格品を製作していたが、本発明の伸縮可能な竿掛けアームを備えた物干し竿掛けの具現により、それぞれの寸法の在庫を持つ必要がなくなり大幅なコストダウンが図れた。
【００５６】
更に、従来の物干し竿掛けの構成部品は、主にアームとアーム取付金物からなり、該アームとアーム取付金物はアルミダイキャストにより製作されていることからアーム長さのタイプ別にアルミダイキャスト用金型を製作して製造しており、コストダウンを図ることが難しかったが、製造過程に於いても本発明は一機種で現況の製品寸法群をカバーすることが出来、金型代等の節約が大幅にできた。
【００５７】
而して、本発明は、竿掛けのアーム長さを可変出来る物干し竿掛けを提供することにより、施工者が取り付けた物干し竿掛けの竿掛けアーム長さを入居者が使用状況に応じて長さ調整を行い利用出来るもので、居住者の使用時の於けるニーズを満足させることが出来る物干し竿掛けを提供することが出来た。
【図面の簡単な説明】
【図１】本発明を説明する側面図である。
【図２】本発明を説明する側面図である。
【図３】本発明の要部組立説明図である。
【図４】本発明に使用される竿受けピースの形状例を示す斜視図である。
【図５】本発明に使用される竿受けピースの形状例を示す斜視図である。
【図６】本発明を説明する側面図である。
【図７】本発明の他の実施例を説明する側面図である。
【図８】本発明の他の実施例を説明する斜視図である。
【図９】本発明の他の実施例を示す要部拡大斜視図である。
【図１０】図９の断面図である。
【図１１】本発明の他の実施例を説明する斜視図である。
【図１２】本発明の他の実施例を説明する側面図である。
【図１３】本発明の他の実施例を説明する側面図である。
【図１４】本発明の他の実施例を説明する側面図である。
【符号の説明】
１  コンクリート立ち上がり壁
２  支柱固定金具
３  支柱
４  竿掛け固定金具
５  アーム支持基体
６  竿掛けアーム
７  竿受けピース
８  挟持部
９  固定レバー
１０  回転用軸ピン
１１  固定ピン
１２  摺動溝
１３  係止部
１４  係止ダボ
１５  嵌合溝
１６  挿着孔
１７  摘子
１８  摘子
１９  貫通孔
２０  貫通孔
２１  竿受け孔
２２  物干し竿の受け部
２３  ラック
２４  ラック
２５  クリップ
２６  クリップ
２７  二分割ライン
２８  角棒形状溝
２９  ストッパー用突部
３０  棒状部
３１  キャップ
【図１】
2004329581.tif 000003
【図２】
2004329581.tif 000004
【図３】
2004329581.tif 000005
【図４】
2004329581.tif 000006
【図５】
2004329581.tif 000007
【図６】
2004329581.tif 000008
【図７】
2004329581.tif 000009
【図８】
2004329581.tif 000010
【図９】
2004329581.tif 000011
【図１０】
2004329581.tif 000012
【図１１】
2004329581.tif 000013
【図１２】
2004329581.tif 000014
【図１３】
2004329581.tif 000015
【図１４】
2004329581.tif 000016